(57)【要約】【課題】撮像表示装置の他の装置への適用を容易にするための技術を提供する。【解決手段】撮像表示装置は、撮像表示装置の外部から入射した光を電荷信号に変換する複数の光電変換素子と、複数の光電変換素子で得られた電荷信号に応じた強度の光を発光する複数の発光素子と、を備える。撮像表示装置は、第１面と、第１面の反対側にある第２面とを有する。光電変換素子は、第１面から入射した光を電荷信号に変換する。発光素子は、第２面から光を発光する。【選択図】図２
2018060980.tif 000002
【特許請求の範囲】
【請求項１】
撮像表示装置であって、
前記撮像表示装置の外部から入射した光を電荷信号に変換する複数の光電変換素子と、
前記複数の光電変換素子で得られた電荷信号に応じた強度の光を発光する複数の発光素子と、
を備え、
前記撮像表示装置は、第１面と、前記第１面の反対側にある第２面とを有し、
前記光電変換素子は、前記第１面から入射した光を電荷信号に変換し、
前記発光素子は、前記第２面から光を発光する
ことを特徴とする撮像表示装置。
【請求項２】
前記発光素子と前記光電変換素子との間に位置する遮光部をさらに備えることを特徴とする請求項１に記載の撮像表示装置。
【請求項３】
前記撮像表示装置は、前記光電変換素子によって得られた電荷信号を増幅する増幅回路を含むことを特徴とする請求項１又は２に記載の撮像表示装置。
【請求項４】
前記撮像表示装置は、前記増幅回路と前記発光素子との間に接続されたバッファ回路をさらに含むことを特徴とする請求項３に記載の撮像表示装置。
【請求項５】
前記撮像表示装置は、
フローティングディフュージョンと、
前記光電変換素子と前記フローティングディフュージョンとの間にある転送トランジスタと、
をさらに備え、
前記撮像表示装置は、前記転送トランジスタのオンオフを切り替える制御信号を生成する駆動回路をさらに備えることを特徴とする請求項１乃至４の何れか１項に記載の撮像表示装置。
【請求項６】
前記撮像表示装置は、前記フローティングディフュージョンと前記発光素子との間に接続された容量素子をさらに含むことを特徴とする請求項５に記載の撮像表示装置。
【請求項７】
前記駆動回路は、前記複数の光電変換素子に接続された各転送トランジスタのオンオフを同じタイミングで切り替えることを特徴とする請求項５又は６に記載の撮像表示装置。
【請求項８】
前記複数の光電変換素子がアレイ状に配置された領域によって画素領域が規定され、
前記複数の発光素子は、
前記画素領域内に、第１ピッチで配置された複数の第１発光素子と、
前記画素領域内に、前記第１ピッチとは異なる第２ピッチで配置された複数の第２発光素子と、
を含み、
前記撮像表示装置は、１つの光電変換素子で得られた信号の伝達先を第１発光素子と第２発光素子との間で切り替えるスイッチ素子をさらに備えることを特徴とする請求項１乃至７の何れか１項に記載の撮像表示装置。
【請求項９】
前記光電変換素子の電圧をリセットするための第１リセットトランジスタと、前記発光素子の電圧をリセットするための第２リセットトランジスタとをさらに備えることを特徴とする請求項１乃至８の何れか１項に記載の撮像表示装置。
【請求項１０】
前記第１リセットトランジスタのゲートと前記第２リセットトランジスタのゲートとに共通の導電線を通じて制御信号が供給されることを特徴とする請求項９に記載の撮像表示装置。
【請求項１１】
前記複数の光電変換素子のうち１つの光電変換素子で得られた電荷信号に応じた強度の光を２以上の発光素子が発光し、
前記複数の光電変換素子のうち２以上の光電変換素子で得られた電荷信号に応じた強度の光を１つの発光素子が発光することを特徴とする請求項１乃至１０の何れか１項に記載の撮像表示装置。
【請求項１２】
前記撮像表示装置は、互いに積層された第１基板及び第２基板を備え、
前記光電変換素子は前記第１基板に含まれ、
前記発光素子は前記第２基板に含まれることを特徴とする請求項１乃至１１の何れか１項に記載の撮像表示装置。
【請求項１３】
前記発光素子は、有機ＬＥＤ又は無機ＬＥＤであることを特徴とする請求項１乃至１２の何れか１項に記載の撮像表示装置。
【請求項１４】
前記光電変換素子は、裏面照射型の基板に含まれることを特徴とする請求項１乃至１３の何れか１項に記載の撮像表示装置。
【請求項１５】
撮像表示装置であって、
前記撮像表示装置の外部から入射した光を電荷信号に変換する複数の光電変換素子と、
前記複数の光電変換素子で得られた電荷信号に応じた強度の光を発光する複数の発光素子と、
を備え、
前記複数の光電変換素子がアレイ状に配置された領域によって画素領域が規定され、
前記複数の光電変換素子から前記複数の発光素子へ信号を伝達するための信号経路が前記画素領域内に収まることを特徴とする撮像表示装置。
【請求項１６】
前記撮像表示装置は、第１面を有し、
前記光電変換素子は、前記第１面から入射した光を電荷信号に変換し、
前記発光素子は、前記第１面から光を発光する
ことを特徴とする請求項１５に記載の撮像表示装置。
【請求項１７】
請求項１乃至１６の何れか１項に記載の撮像表示装置と、
前記撮像表示装置に電力を供給する電源と、
を備えることを特徴とするウェアラブルデバイス。
【発明の詳細な説明】
【技術分野】
【０００１】
本発明は、撮像表示装置及びウェアラブルデバイスに関する。
【背景技術】
【０００２】
ヘッドマウントディスプレイ（以下、ＨＭＤ）やスマートグラスと呼ばれる、表示装置を備えたウェアラブルデバイスが知られている。このようなウェアラブルデバイスの１つの方式では、利用者の眼の前の景色（外界の景色）が撮像装置を用いて画像として撮り込まれ、その画像が表示装置に表示される。この方式によって、利用者は、表示装置を通しながらも、外界の景色をあたかも直接見ているような感覚を得られる。特許文献１は、このような表示装置を小型化するために、フォトダイオードとＥＬ（エレクトロルミネッセンス）素子とを同じ基板上にマトリクス状に設ける技術を提案する。具体的に、フォトダイオード及びＥＬ素子を各画素に有するエリアセンサは、フォトダイオードを用いて被写体を画像信号として撮り込む。その後、エリアセンサは、撮り込んだ画像を、ＥＬ素子を用いて表示する。
【先行技術文献】
【特許文献】
【０００３】
【特許文献１】特開２００２−１７６１６２号公報
【発明の概要】
【発明が解決しようとする課題】
【０００４】
特許文献１の装置では受光面と発光面とが同一であるので、この装置の他の装置への適用が制限される。例えば、この装置をＨＭＤやスマートグラスに適用することが困難である。また、ＨＭＤやスマートグラスに適用可能な装置であっても、景色を取り込んでから表示するまでの時間が長いと、利用者は違和感を覚える。その結果として、例えば、利用者が動いている物体を掴むといった動作が困難になる。本発明は、撮像表示装置の他の装置への適用を容易にするための技術を提供することを目的とする。
【課題を解決するための手段】
【０００５】
上記課題に鑑みて、撮像表示装置であって、前記撮像表示装置の外部から入射した光を電荷信号に変換する複数の光電変換素子と、前記複数の光電変換素子で得られた電荷信号に応じた強度の光を発光する複数の発光素子と、を備え、前記撮像表示装置は、第１面と、前記第１面の反対側にある第２面とを有し、前記光電変換素子は、前記第１面から入射した光を電荷信号に変換し、前記発光素子は、前記第２面から光を発光することを特徴とする撮像表示装置が提供される。
【発明の効果】
【０００６】
上記手段により、撮像表示装置の他の装置への適用が容易になる。
【図面の簡単な説明】
【０００７】
【図１】一部の実施形態の撮像表示装置を説明する図。
【図２】一部の実施形態の画素の等価回路図。
【図３】一部の実施形態の画素の等価回路図。
【図４】一部の実施形態の画素の等価回路図。
【図５】一部の実施形態の撮像表示装置のタイミングチャート図。
【図６】一部の実施形態の画素の断面構造を説明する図。
【図７】一部の実施形態の撮像表示装置を説明する図。
【図８】一部の実施形態の画素アレイの平面レイアウトを説明する図。
【図９】一部の実施形態の画素の等価回路図。
【図１０】一部の実施形態の画素の断面構造を説明する図。
【図１１】一部の実施形態の撮像表示装置を説明する図。
【図１２】一部の実施形態の撮像表示装置を説明する図。
【図１３】一部の実施形態の撮像表示装置の適用例を説明する図。
【発明を実施するための形態】
【０００８】
添付の図面を参照しつつ本発明の実施形態について以下に説明する。様々な実施形態を通じて同様の要素には同一の参照符号を付し、重複する説明を省略する。また、各実施形態は適宜変更、組み合わせが可能である。
【０００９】
図１を参照して、一部の実施形態に係る撮像表示装置１００の構成例について説明する。図１（ａ）は撮像表示装置１００の平面図を示し、図１（ｂ）は撮像表示装置１００の断面図を示す。撮像表示装置１００は、破線１１０の内側にある画素領域１１１と、破線１１０の外側にある周辺回路領域１１２とを有する。画素領域１１１には、複数の画素１０１がアレイ状に配置されている。周辺回路領域１１２には、垂直走査回路１０２が配置されている。周辺回路領域１１２には、そのほかに、電源回路（不図示）なども配される。行方向に並んだ複数の画素に対して導電線１０３が配置されている。導電線１０３を通じて垂直走査回路１０２から各画素１０１に制御信号が供給される。図１（ａ）では画素行ごとに１本の導電線１０３を示しているが、各画素に複数種類の制御信号を供給する場合に、制御信号ごとに導電線１０３が配置される。
【００１０】
撮像表示装置１００は、上面１００ｂと、その反対側にある下面１００ａとを有する。上面１００ｂは表（おもて）面と呼ばれることもあり、下面１００ａは裏面又は底面と呼ばれることもある。各画素１０１は、撮像表示装置１００の下面１００ａから入射した光に応じた強度の光を撮像表示装置１００の上面１００ｂから発光する。そのため、下面１００ａは入射面と呼ばれてもよく、上面１００ｂは発光面と呼ばれてもよい。
【００１１】
図２〜図４の等価回路図を参照して、画素１０１の具体的な構成例について説明する。図２（ａ）は、画素１０１の１つの具体例である画素１０１ａの等価回路図を示す。画素１０１ａは、光電変換素子２０１と、増幅トランジスタ２０２と、発光素子２０３と、リセットトランジスタ２０４と、リセットトランジスタ２０５とを有する。
【００１２】
光電変換素子２０１の一端は増幅トランジスタ２０２のゲートに接続されており、他端は接地に接続されている。光電変換素子２０１と増幅トランジスタ２０２のゲートとの間のノードはフローティングディフュージョンＦＤとして機能する。増幅トランジスタ２０２の一方の主電極は電圧ＶＤＤを供給する電源線に接続されており、他方の主電極は発光素子２０３に接続されている。発光素子２０３の一端は増幅トランジスタ２０２に接続されており、他端は接地に接続されている。発光素子２０３は、接地に接続される代わりに、他の定電圧源に接続されていてもよい。フローティングディフュージョンＦＤは、電圧Ｖ１を供給する電源線にリセットトランジスタ２０４を介して接続されている。リセットトランジスタ２０４のゲートには垂直走査回路１０２から制御信号ＲＥＳ１が供給される。発光素子２０３と増幅トランジスタ２０２との間のノードは、電圧Ｖ２を供給する電源線にリセットトランジスタ２０５を介して接続されている。リセットトランジスタ２０５のゲートには垂直走査回路１０２から制御信号ＲＥＳ２が供給される。
【００１３】
光電変換素子２０１は、撮像表示装置１００の外部（図１の例では下面１００ａ）から入射した光を電荷信号に変換する。光電変換素子２０１は、例えば、フォトダイオード、有機光電変換素子、無機光電変換素子等である。フォトダイオードに使用される材料は、例えば、シリコン、ゲルマニウム、インジウム、ガリウム、ヒ素等が挙げられる。光電変換層としては、例えば、Ｐ型半導体層とＮ型半導体層とが接合されたＰＮ接合型、Ｐ型半導体層とＮ型半導体層との間に電気抵抗の大きな半導体層を挟んだＰＩＮ型、アバランシェ増倍現象を利用したアバランシェ型等が挙げられる。図１の各画素１０１が光電変換素子２０１を有する。そのため、画素領域１１１は、複数の光電変換素子２０１がアレイ状に配置された領域によって規定されるということができる。
【００１４】
有機光電変換素子は、例えば、一対の電極間に光電変換する有機薄膜層（有機光電変換層）を少なくとも一層含んだ構造を有する。有機光電変換素子は、一対の電極間に複数の有機薄膜層が積層された構造を有してもよい。有機光電変換層は単一材料でも複数の材料が混合されていてもよい。また、有機薄膜層は、例えば、真空蒸着プロセスや塗布プロセス等を用いて形成することができる。
【００１５】
無機光電変換素子は、例えば、有機光電変換層の代わりに、微細な半導体結晶を含有する量子ドット薄膜層を用いた量子ドット光電変換素子や、ペロブスカイト構造の遷移金属酸化物等からなる光電変換層を有するペロブスカイト光電変換素子等である。
【００１６】
発光素子２０３は、光電変換素子２０１で得られた電荷信号に応じた強度の光を発光する。発光素子２０３は、例えば、無機ＬＥＤ（発光ダイオード）、有機ＬＥＤ（ＯＬＥＤ、有機発光ダイオード、有機ＥＬ、有機電界発光素子）等である。無機ＬＥＤに使用される材料は、例えば、アルミニウム、ガリウム、ヒ素、リン、インジウム、窒素、セレン、亜鉛、ダイヤモンド、酸化亜鉛、ペロブスカイト半導体等である。これらを用いてｐｎ接合構造にすることで、それぞれ材料のバンドギャップ差に相当するエネルギー（波長）を有する光が放出される。
【００１７】
有機ＬＥＤは、例えば、一対の電極間に少なくとも１種の有機発光材料を含有した発光層を有し、複数の発光層を有していてもよく、複数の有機薄膜層が積層された構造を有しても、発光層は単一材料でも複数の材料が混合されていてもよい。発光層からの光は、蛍光でも燐光でもよく、単色発光（青色、緑色、赤色等）でも白色発光でもよい。また、有機薄膜層は、例えば、真空蒸着プロセスや塗布プロセス等を用いて形成することができる。
【００１８】
増幅トランジスタ２０２は、光電変換素子２０１によって得られた電荷信号を増幅する増幅回路を構成する。リセットトランジスタ２０４は、オンになると、光電変換素子２０１の電圧を初期状態にリセットする。リセットトランジスタ２０５は、オンになると、発光素子２０３の電圧を初期状態にリセットする。
【００１９】
図２（ｂ）は、画素１０１の１つの具体例である画素１０１ｂの等価回路図を示す。画素１０１ｂは、光電変換素子２０１と増幅トランジスタ２０２との間に転送トランジスタ２０６をさらに有する点で画素１０１ａとは異なり、他の点は画素１０１ａと同じであってもよい。転送トランジスタ２０６を設けることによって、リセットトランジスタ２０４で生じうるｋＴＣノイズと呼ばれるリセットレベルのばらつきに起因するノイズを主に軽減できる。転送トランジスタ２０６のゲートには垂直走査回路１０２から制御信号ＴＸが供給される。すなわち、垂直走査回路１０２は、転送トランジスタ２０６のオンオフを切り替える制御信号ＴＸを生成する駆動回路として機能する。転送トランジスタ２０６と増幅トランジスタ２０２のゲートとの間のノードがフローティングディフュージョンＦＤとして機能する。光電変換素子２０１から発光素子２０３へ信号を伝達するための信号経路は、フローティングディフュージョンＦＤと増幅トランジスタ２０２との間にバッファ回路（不図示）をさらに有してもよい。バッファ回路を設けることによって、シリコン−金属のコンタクト接続に起因するノイズ電荷の影響を抑制できる。
【００２０】
図２（ｃ）は、画素１０１の１つの具体例である画素１０１ｃの等価回路図を示す。画素１０１ｃは、バッファ回路２０７とリセットトランジスタ２０８とをさらに有する点で画素１０１ｂとは異なり、他の点は画素１０１ｂと同じであってもよい。バッファ回路２０７の一端は増幅トランジスタ２０２に接続され、他端は発光素子２０３に接続されている。発光素子２０３とバッファ回路２０７との間のノードは、電圧Ｖ３を供給する電源線にリセットトランジスタ２０８を介して接続されている。リセットトランジスタ２０８のゲートには垂直走査回路１０２から制御信号ＲＥＳ３が供給される。
【００２１】
バッファ回路２０７は、増幅トランジスタ２０２から発光素子２０３に流れる電流（電荷信号）を補正する。バッファ回路２０７は、例えば、γ補正回路、２次元シェーディング補正回路、ばらつき補正回路、フィードバックリセット回路等である。
【００２２】
図３（ａ）は、画素１０１の１つの具体例である画素１０１ｄの等価回路図を示す。画素１０１ｄは、容量素子３０１とリセットトランジスタ３０２とをさらに有する点で画素１０１ｂとは異なり、他の点は画素１０１ｂと同じであってもよい。容量素子３０１は、転送トランジスタ２０６と増幅トランジスタ２０２との間に接続される。転送トランジスタ２０６と容量素子３０１との間のノードがフローティングディフュージョンＦＤとして機能する。容量素子３０１と増幅トランジスタ２０２との間のノードは、電圧Ｖ４を供給する電源線にリセットトランジスタ３０２を介して接続されている。リセットトランジスタ３０２のゲートには垂直走査回路１０２から制御信号ＲＥＳ４が供給される。容量素子３０１を有することによって、フローティングディフュージョンＦＤに転送された電荷による容量素子３０１の電圧変動を信号として増幅トランジスタ２０２に供給できる。その結果として、光電変換素子２０１の電源電圧と発光素子２０３の電源電圧とをそれぞれ独立に設定できる。
【００２３】
図３（ｂ）は、画素１０１の１つの具体例である画素１０１ｅの等価回路図を示す。画素１０１ｅは、容量素子３０３と容量付加トランジスタ３０４とをさらに有する点で画素１０１ｂとは異なり、他の点は画素１０１ｂと同じであってもよい。容量素子３０３の一端は容量付加トランジスタ３０４に接続され、他端は接地に接続されている。容量付加トランジスタ３０４は、容量素子３０３とフローティングディフュージョンＦＤとの間に接続されている。容量付加トランジスタ３０４のゲートには垂直走査回路１０２から制御信号ＡＤＤが供給される。容量付加トランジスタ３０４がオンになると、フローティングディフュージョンＦＤの容量に容量素子３０１の容量が追加される。これによって、発光素子２０３に供給される電荷信号が変更される。
【００２４】
図４（ａ）は、画素１０１の１つの具体例である画素１０１ｆの等価回路図を示す。画素１０１ｆは、クリップトランジスタ４０１をさらに有する点で画素１０１ｂとは異なり、他の点は画素１０１ｂと同じであってもよい。発光素子２０３と増幅トランジスタ２０２との間のノードは、電圧Ｖ６を供給する電源線にクリップトランジスタ４０１を介して接続されている。クリップトランジスタ４０１のゲートは電圧Ｖ７を供給する電源線に接続されている。
【００２５】
光電変換素子２０１の飽和レベルを大幅に超える強度の光が撮像表示装置１００に入射した場合、フローティングディフュージョンＦＤや発光素子２０３の電圧レベルが、正常に動作可能な電圧レベルよりも低下する可能性がある。このような電圧レベルの低下を抑制するために、画素１０１ｆはクリップ回路を有する。フローティングディフュージョンＦＤに対して、リセットトランジスタ２０４がクリップ回路として機能する。また、発光素子２０３と増幅トランジスタ２０２との間のノードに対して、クリップトランジスタ４０１がクリップ回路として機能する。画素１０１ｆはクリップトランジスタ４０１を有することによって、想定しない電圧が発光素子２０３に印加されることを抑制できる。画素１０１ｆでは、各行や領域ごとにクリップトランジスタ４０１へ印加される電圧が共有される。
【００２６】
図４（ｂ）は、画素１０１の１つの具体例である画素１０１ｇの等価回路図を示す。画素１０１ｇは、クリップトランジスタ４０２をさらに有する点で画素１０１ｂとは異なり、他の点は画素１０１ｂと同じであってもよい。発光素子２０３と増幅トランジスタ２０２との間のノードは、電圧Ｖ８を供給する電源線にクリップトランジスタ４０２を介して接続されている。クリップトランジスタ４０２は、発光素子２０３と増幅トランジスタ２０２との間のノードに接続されている。発光素子２０３と増幅トランジスタ２０２との間のノードに対して、クリップトランジスタ４０２がクリップ回路として機能する。画素１０１ｇでは、各画素の発光素子２０３の入力部の電圧に応じてクリップ動作が行われる。
【００２７】
図２〜図４の画素の具体例は、いずれもリセットトランジスタ２０４、２０５及び増幅トランジスタ２０２を有する。これに代えて、リセットトランジスタ２０４、２０５と、増幅トランジスタ２０２との少なくとも一方が省略されてもよい。画素の形態は図２〜図４に限らず、回路要素を適宜追加したり、組み合わせたりしてもよい。例えば、複数の受光素子や複数の発光素子で回路要素を共有化したり、選択スイッチを設けて複数の素子のいずれかと接続したりするなどの変更を加えてもよい。
【００２８】
続いて、図５のタイミングチャートを参照して、撮像表示装置１００の動作例について説明する。図５において、ＲＥＳ１、ＲＥＳ２、ＴＸは、垂直走査回路１０２が生成する制御信号のレベルを示し、Ｖ＿ＦＤはフローティングディフュージョンＦＤの電圧値を示し、Ｉ＿ＡＮは発光素子２０３に流れる電流値を示す。
【００２９】
図５（ａ）は、撮像表示装置１００の画素１０１が画素１０１ａである場合のタイミングチャートを示す。リセットトランジスタ２０４は、制御信号ＲＥＳ１がハイレベルの場合にオンとなり、ローレベルの場合にオフとなる。リセットトランジスタ２０５と制御信号ＲＥＳ２との関係も同様である。時刻ｔ１１よりも前に、リセットトランジスタ２０４、２０５はどちらもオンなので、フローティングディフュージョンＦＤの電圧は電圧Ｖ１にリセットされ、増幅トランジスタ２０２と発光素子２０３との間のノードの電圧は電圧Ｖ２にリセットされている。電圧Ｖ１と電圧Ｖ２とは互いに等しい値であってもよい。
【００３０】
時刻ｔ１１に、垂直走査回路１０２は、制御信号ＲＥＳ１、ＲＥＳ２をオンからオフに切り替える。これによって、光電変換素子２０１が、入射光の強度に応じた電荷信号を生成する。生成される電荷は電子であってもよいし、ホールであってもよい。生成された電荷信号の値に応じて、フローティングディフュージョンＦＤの電圧が変化する。フローティングディフュージョンＦＤの電圧の変化量に応じた電流が増幅トランジスタ２０２のソース−ドレイン間に流れる。この電流が発光素子２０３に供給されることによって、発光素子２０３は電流量に応じた強度の光を発光する。
【００３１】
その後、時刻ｔ１２で、垂直走査回路１０２は、制御信号ＲＥＳ１、ＲＥＳ２をオフからオンに切り替える。これによって、フローティングディフュージョンＦＤの電圧が電圧Ｖ１にリセットされ、増幅トランジスタ２０２と発光素子２０３との間のノードの電圧が電圧Ｖ２にリセットされる。
【００３２】
図５（ｂ）は、撮像表示装置１００の画素１０１が画素１０１ｂである場合のタイミングチャートを示す。転送トランジスタ２０６は、制御信号ＴＸがハイレベルの場合にオンとなり、ローレベルの場合にオフとなる。時刻ｔ２１よりも前に、リセットトランジスタ２０４、２０５はどちらもオンなので、フローティングディフュージョンＦＤの電圧は電圧Ｖ１にリセットされ、増幅トランジスタ２０２と発光素子２０３との間のノードの電圧は電圧Ｖ２にリセットされている。電圧Ｖ１と電圧Ｖ２とは互いに等しい値であってもよい。
【００３３】
時刻ｔ２１に、垂直走査回路１０２は、制御信号ＲＥＳ１、ＲＥＳ２をオンからオフに切り替える。これによって、光電変換素子２０１が、入射光の強度に応じた電荷信号を生成し、自身に蓄積する。また、フローティングディフュージョンＦＤの電圧は、ノイズに応じて変化する。
【００３４】
時刻ｔ２２に、垂直走査回路１０２は、制御信号ＴＸをオフからオンに切り替える。これによって、光電変換素子２０１に蓄積された電荷がフローティングディフュージョンＦＤに転送され、フローティングディフュージョンＦＤの電圧の変化量に応じた電流が増幅トランジスタ２０２のソース−ドレイン間に流れる。この電流が発光素子２０３に供給されることによって、発光素子２０３は電流量に応じた強度の光を発光する。
【００３５】
垂直走査回路１０２は、時刻ｔ２３に制御信号ＴＸをオンからオフに切り替え、その後、時刻ｔ２４に制御信号ＲＥＳ１、ＲＥＳ２をオフからオンに切り替える。それによって、図５（ａ）で説明したリセット動作が行われる。
【００３６】
撮像表示装置１００の画素１０１が画素１０１ｃ〜１０１ｇの何れかである場合も、図５（ｂ）に示したタイミングチャートに沿って処理が行われてもよい。この場合に、垂直走査回路１０２は、制御信号ＲＥＳ３、ＲＥＳ４も、制御信号ＲＥＳ１、ＲＥＳ２と同じタイミングで切り替えてもよい。そのため、１つの画素に制御信号ＲＥＳ１〜ＲＥＳ４を供給するための導電線を共通にしてもよい。言い換えると、垂直走査回路１０２は、各リセットトランジスタ２０４、２０５、２０８、３０２のゲートに共通の導電線を通じて制御信号を供給してもよい。この構成では、導電線の本数を減らすことができ、レイアウトの自由度が向上する。
【００３７】
垂直走査回路１０２は、複数の画素行のリセットトランジスタ２０４に供給する制御信号ＲＥＳ１のレベルを同じタイミングで切り替えてもよい。すなわち、垂直走査回路１０２は、画素領域に含まれるすべての画素１０１のリセットトランジスタ２０４のオンオフを一括して切り替えることによって、フローティングディフュージョンＦＤの電圧を一括して（同時に）リセットしてもよい。制御信号ＲＥＳ２〜ＲＥＳ４についても同様である。
【００３８】
同様に、垂直走査回路１０２は、複数の画素行の転送トランジスタ２０６に供給する制御信号ＴＸのレベルを同じタイミングで切り替えてもよい。すなわち、垂直走査回路１０２は、画素領域に含まれるすべての画素１０１の転送トランジスタ２０６のオンオフを同じタイミングで一括して切り替えることによって、光電変換素子２０１の蓄積された電荷信号を一括して（同時に）転送してもよい。このように、垂直走査回路１０２が画素領域のすべての画素を同じタイミングで駆動することによって、撮像表示装置１００のリフレッシュレートを向上できる。
【００３９】
上述の画素１０１ａ〜画素１０１ｇの何れにおいても、複数の光電変換素子２０１から複数の発光素子２０３へ信号を伝達するための信号経路が画素領域１１１内に収まる。そのため、光電変換素子２０１で得られた信号を画素領域の外に読み出し、画素アレイから得られた画像に対するデータ処理を行った後に表示させる場合と比較して、光電変換素子２０１に光が入射してから発光素子２０３が光を発光するまでの時間が短縮される。
【００４０】
続いて、図６の断面図を参照して、画素１０１ｂの構造例について説明する。撮像表示装置１００は、互いに積層された２つの基板６００、６５０によって構成される。基板６００は光電変換素子を有し、基板６５０は発光素子を有する。
【００４１】
基板６００は、半導体層６０１と、絶縁層６０４と、カラーフィルタ層６１１と、マイクロレンズ６１２とを有する。半導体層６０１は、不純物領域６０２、６０３を含む複数の不純物領域を有する。不純物領域６０２は、光電変換素子２０１を構成する。不純物領域６０３は、フローティングディフュージョンＦＤとして機能する。そのほか、複数の不純物領域は、リセットトランジスタ２０４を構成する領域を含む。カラーフィルタ層６１１は、例えばベイヤ配列を有しており、入射光を赤色、緑色、青色に分解する。カラーフィルタ層６１１を備える代わりに、画素領域１１１に、赤色の光を光電変換する素子、緑色の光を光電変換する素子、青色の光を光電変換する素子が配置されてもよい。
【００４２】
絶縁層６０４に、電極６０５、６０６と、導電パターン６０７と、プラグ６０８、６０９と、接続部６１０とが形成されている。電極６０５は、転送トランジスタ２０６のゲートとして機能する。電極６０６は、リセットトランジスタ２０４のゲートとして機能する。フローティングディフュージョンＦＤは、プラグ６０８と、導電パターン６０７の一部分と、プラグ６０９とによって接続部６１０に接続されている。前述のように、光電変換素子２０１は、撮像表示装置１００の下面１００ａから入射した光を光電変換する。すわなち、基板６００は、裏面照射型の基板である。これに代えて、基板６００を表面照射型の基板として形成してもよい。
【００４３】
基板６５０は、半導体層６５１と、絶縁層６５３とを有する。半導体層６５１は、不純物領域６５２を含む複数の不純物領域を有する。不純物領域６５２は、増幅トランジスタ２０２と発光素子２０３との間のノードとして機能する。そのほか、複数の不純物領域は、リセットトランジスタ２０５を構成する領域を含む。
【００４４】
絶縁層６５３に、電極６５４、６５５と、導電パターン６５６と、プラグ６５８と、発光層６５７と、接続部６５９とが形成されている。発光層６５７は、発光素子２０３を構成する。画素領域１１１には、赤色の光を発光する発光層６５７、緑色の光を発光する発光層６５７、青色の光を発光する発光層６５７が配置されてもよい。これに代えて、基板６５０が発光層６５７の上にカラーフィルタを有し、発光層６５７が発光した白色光をカラーフィルタがそれぞれの色に変換してもよい。電極６５４は、増幅トランジスタ２０２のゲートとして機能する。電極６５５は、リセットトランジスタ２０５のゲートとして機能する。導電パターン６５６の一部分は、プラグ６５８によって接続部６５９に接続されている。
【００４５】
接続部６１０と接続部６５９とは、直接に接触してもよいし、マイクロバンプを介して接続されてもよい。基板６００、６５０の厚さが数１００μｍ以下である場合に、撮像表示装置１００の強度を確保するために、それぞれの基板６００、６５０に支持基板を取り付けてもよい。例えば、基板６００の下側と、基板６５０の上側との少なくとも一方に、ガラスやプラスチック、石英などを用いた透明な支持基板を取り付けてもよい。取り付ける方法として、デバイスレイヤトランスファー方式を用いてもよい。この方式では、例えば、基台の上にポーラス構造領域を介して基板６００を生成し、その後に基板６００を切り離して透明な支持基板の上に配置する。
【００４６】
図６の構造では、撮像表示装置１００が２枚の基板６００、６５０を互いに積層することによって構成される。これに代えて、１枚の半導体基板から一連の工程で図６の各構成要素が形成されてもよい。この場合に、導電パターン６５６の一部分と導電パターン６０７の一部分とを互いに接続する貫通電極が形成される。
【００４７】
図６では、基板６００に光電変換素子２０１、フローティングディフュージョンＦＤ、リセットトランジスタ２０４及び転送トランジスタ２０６が形成され、基板６５０に増幅トランジスタ２０２、リセットトランジスタ２０５及び発光素子２０３が形成される。これに代えて、フローティングディフュージョンＦＤ、リセットトランジスタ２０４及び転送トランジスタ２０６が基板６５０に形成されてもよい。この配置では、基板６００に形成される光電変換素子２０１の不純物領域６０２の面積を大きくすることができる。
【００４８】
図６の構造では、光電変換素子２０１が撮像表示装置１００の下側から入射する光を受け、発光素子２０３が撮像表示装置１００の上側に光を発光する。そのため、光電変換素子２０１と発光素子２０３とが互いに干渉しない位置関係となっている。このように、光電変換素子２０１と発光素子２０３とを互いに異なる面に配置することによって、光電変換素子２０１において発光素子２０３からの光と外部からの光とを分離できるとともに、画素領域１１１に多くの画素が配置可能になる。
【００４９】
続いて、図７を参照して、一部の実施形態に係る撮像表示装置７００の構成例について説明する。図７（ａ）は撮像表示装置７００の断面図を示す。撮像表示装置７００の平面図は図１に示した撮像表示装置１００の平面図と同様であってもよいので省略する。撮像表示装置７００は、破線７１０の内側にある画素領域７１１と、破線７１０の外側にある周辺回路領域７１２とを有する。画素領域７１１には、複数の画素７０１がアレイ状に配置されている。周辺回路領域７１２には、垂直走査回路１０２が配置されている。周辺回路領域７１２には、そのほかに、電源回路（不図示）なども配される。行方向に並んだ複数の画素に対して導電線１０３が配置されている。導電線１０３を通じて垂直走査回路１０２から各画素７０１に制御信号が供給される。撮像表示装置７００は、上面７００ｂと、その反対側にある下面７００ａとを有する。各画素７０１は、撮像表示装置７００の上面７００ｂから入射した光に応じた強度の光を撮像表示装置７００の上面７００ｂから発光する。そのため、上面７００ｂは入射面かつ発光面と呼ばれてもよい。
【００５０】
図７（ｂ）は１つの画素７０１に着目した断面図を示す。画素７０１の透過回路図は画素１０１の透過回路図と同様であってもよい。図７（ｂ）では、画素７０１が図２（ｂ）の画素１０１ｂである場合について説明する。撮像表示装置７００は１枚の基板で形成されてもよい。撮像表示装置７００は、半導体層７５０と、絶縁層７５７と、カラーフィルタ層７６２と、マイクロレンズ７６３とを有する。半導体層７５０は、不純物領域７５１、７５３を含む複数の不純物領域を有する。不純物領域７５１は、光電変換素子２０１を構成する。不純物領域７５３は、フローティングディフュージョンＦＤとして機能する。そのほか、複数の不純物領域は、リセットトランジスタ２０４、２０５、増幅トランジスタ２０２を構成する領域を含む。光電変換素子のためのカラーフィルタと発光素子のためのカラーフィルタとを同一のカラーフィルタ層７６２に含めることによって、フィルタの膜厚ばらつきの影響を軽減し、画質を向上することができる。
【００５１】
絶縁層７５７に、電極７５２、７５４、７５５、７５６と、導電パターン７５９と、遮光部７６１と、光導波路７５８と、発光層７６０とが形成されている。電極７５２は、転送トランジスタ２０６のゲートとして機能する。電極７５４は、リセットトランジスタ２０４のゲートとして機能する。電極７５５は、増幅トランジスタ２０２のゲートとして機能する。電極７５６は、リセットトランジスタ２０５のゲートとして機能する。発光層７６０は、発光素子２０３を構成する。遮光部７６１は、発光層７６０と不純物領域７５１との間に位置しており、発光層７６０からの発光が不純物領域７５１に到達することを抑制する。遮光部７６１は、例えば金属や偏光体によって形成される。光導波路７５８は、マイクロレンズ７６３を介して絶縁層７５７に入射した光を不純物領域７５１に集光する。カラーフィルタ層７６２、マイクロレンズ７６３、光導波路７５８などは省略されてもよい。
【００５２】
前述のように、光電変換素子２０１は、撮像表示装置７００の上面７００ｂから入射した光を光電変換する。すわなち、撮像表示装置７００の基板は、表面照射型の基板である。これに代えて、撮像表示装置７００の基板を裏面照射型の基板として形成してもよい。
【００５３】
図８は、不純物領域７５１及び発光層７６０の平面レイアウトの具体例を説明する。図８（ａ）〜図８（ｃ）のそれぞれは、撮像表示装置７００の上面７００ｂに対する平面視における不純物領域７５１及び発光層７６０の位置を示し、３行３列の９個の画素７０１に着目する。
【００５４】
図８（ａ）に示すレイアウトでは、矩形状の不純物領域７５１と矩形状の発光層７６０とが並んでいる。図８（ｂ）に示すレイアウトでは、矩形状（例えば、正方形）の不純物領域７５１とＬ字型の発光層７６０とが並んでいる。図８（ｃ）に示すレイアウトでは、矩形状（例えば、正方形）の不純物領域７５１の周囲に枠状の発光層７６０が位置している。このように、いずれのレイアウトでも、撮像表示装置７００の上面７００ｂに対する平面視において、不純物領域７５１と発光層７６０とは互いに重ならない。
【００５５】
また、上述した撮像表示装置１００においても、撮像表示装置１００の上面１００ｂに対する平面視において、光電変換素子２０１を構成する不純物領域６０２と、発光素子２０３を構成する発光層７６０とが互いに重ならないように配置されてもよい。不純物領域６０２に入射した光のうち長波長の成分はシリコン層を透過しやすい。このような配置によって、不純物領域６０２を透過した光が発光層７６０に影響を与えることを抑制できる。
【００５６】
続いて、図９を参照して、一部の実施形態に係る撮像表示装置９００の構成例について説明する。撮像表示装置９００の平面図及び断面図は、図１に示した撮像表示装置１００の平面図及び断面図と同様であってもよいので省略する。図９は、２行２列の４つの画素の透過回路図を示す。撮像表示装置９００の画素領域には、複数の画素９０１がアレイ状に配置されている。画素９０１は、スイッチトランジスタ９０２及びスイッチトランジスタ９０３を備える点で、撮像表示装置１００の画素１０１とは異なる。さらに、画素領域には、２行２列の４つの画素９０１ごとに、発光素子９０４及びバッファ回路９０５が配置されている。このように、撮像表示装置９００は、画素領域内に、光電変換素子２０１と同じピッチで配置された発光素子２０３と、このピッチとは異なるピッチで配置された発光素子９０４とを有する。図９では、４つの画素９０１ごとに発光素子９０４及びバッファ回路９０５が配置されるが、他の複数の画素９０１ごとに配置されてもよい。図９では、図２（ｂ）の画素１０１ｂとの変更点について説明するが、この変更点が図２〜図４の他の画素に対して適用されてもよい。
【００５７】
スイッチトランジスタ９０２は、増幅トランジスタ２０２と発光素子２０３との間に接続されている。スイッチトランジスタ９０２のゲートには垂直走査回路１０２から制御信号ＣＨ１が供給される。スイッチトランジスタ９０３は、増幅トランジスタ２０２とバッファ回路９０５との間に接続されている。スイッチトランジスタ９０３のゲートには垂直走査回路１０２から制御信号ＣＨ２が供給される。発光素子９０４は、バッファ回路９０５と接地との間に配置される。バッファ回路９０５の構成・機能は、バッファ回路２０７と同様であってもよい。発光素子９０４の構成・機能は、発光素子２０３と同様であってもよい。発光素子９０４は、発光素子２０３と同様の方式で発色してもよいし、異なる方式で発色してもよい。例えば、発光素子２０３がカラーフィルタを用いて各色の光を発光し、発光素子９０４が自身で各色の色を発光してもよい。
【００５８】
撮像表示装置９００は、高解像度モードと低解像度モードとの２つのモードで動作可能である。垂直走査回路１０２は、高解像度モードにおいて、制御信号ＣＨ１をハイレベルとして各画素９０１のスイッチトランジスタ９０２をオンにするとともに、制御信号ＣＨ２をローレベルとして各画素９０１のスイッチトランジスタ９０３をオフにする。この場合に、各画素９０１の光電変換素子２０１で得られた信号は発光素子２０３に供給され、発光素子２０３が発光する。一方、発光素子９０４には信号が供給されないので、発光素子９０４は発光しない。このように、高解像度モードでは、１つの画素９０１ごとに１つの発光素子２０３が発光する。
【００５９】
垂直走査回路１０２は、低解像度モードにおいて、制御信号ＣＨ１をローレベルとして各画素９０１のスイッチトランジスタ９０２をオフにするとともに、制御信号ＣＨ２をハイレベルとして各画素９０１のスイッチトランジスタ９０３をオンにする。この場合に、４つの画素９０１の光電変換素子２０１で得られた信号は統合されて発光素子９０４に供給され、発光素子９０４が発光する。一方、発光素子２０３には信号が供給されないので、発光素子２０３は発光しない。このように、低解像度モードでは、４つの画素９０１ごとに１つの発光素子９０４が発光する。このように、スイッチトランジスタ９０２、９０３は、１つの光電変換素子２０１で得られた信号の伝達先を発光素子２０３と発光素子９０４との間で切り替えるスイッチ素子として機能する。
【００６０】
撮像表示装置９００はさらに、画素領域のうち一部の領域に含まれる画素９０１を低解像度モードで動作し、他の領域に含まれる画素９０１を高解像度モードで動作するように構成されてもよい。具体的に、撮像表示装置９００は、低解像度モードで動作させたい領域に含まれる画素９０１の制御信号ＣＨ１をハイレベルとし、高解像度モードで動作させたい領域に含まれる画素９０１の制御信号ＣＨ２をハイレベルとするように構成されてもよい。
【００６１】
図１０は、撮像表示装置９００の画素領域の一部に着目した断面図である。不純物領域１００１は、光電変換素子２０１を構成する。発光層１００２は、発光素子２０３を構成する。発光層１００３は、発光素子９０４を構成する。不純物領域１００１は、撮像表示装置９００の下面から入射した光を光電変換し、発光層１００２及び発光層１００３はそれぞれ撮像表示装置９００の上面に光を発光する。発光層１００３は、２行２列の４つの画素にまたがって配置される。
【００６２】
図１１を参照して、一部の実施形態に係る撮像表示装置１１００の構成例について説明する。図１１（ａ）は撮像表示装置１１００の平面図を示す。撮像表示装置１１００の断面図は図１（ｂ）に示した撮像表示装置１００の断面図と同様であるので省略する。撮像表示装置１１００は、破線１１１０の内側にある画素領域と、破線１１１０の外側にある周辺回路領域とを有する。画素領域には、複数の画素１１０１がアレイ状に配置されている。周辺回路領域には、垂直走査回路１０２、水平走査回路１１０５及び制御回路１１０６が配置されている。周辺回路領域には、そのほかに、電源回路（不図示）なども配される。行方向に並んだ複数の画素に対して導電線１１０３が配置されている。導電線１１０３を通じて垂直走査回路１１０２から各画素１１０１に制御信号が供給される。図１１では画素行ごとに１本の導電線１１０３を示しているが、各画素に複数種類の制御信号を供給する場合に、制御信号ごとに導電線１１０３が配置される。列方向に並んだ複数の画素に対して導電線１１０４が配置されている。導電線１１０４を通じて画素１１０１から水平走査回路１１０５に信号が読み出される。制御回路１１０６は、水平走査回路１１０５に読み出された信号に基づいて、垂直走査回路１１０２の動作を制御する。
【００６３】
図１２の等価回路図を参照して、画素１１０１の具体的な構成例について説明する。画素１１０１は、図２（ｂ）に示す画素１０１ｂの光電変換素子２０１と、増幅トランジスタ２０２と、リセットトランジスタ２０４と、転送トランジスタ２０６との組を２組有している。一方の組の増幅トランジスタ２０２の一方の主電極は、画素１０１ｂと同様に、リセットトランジスタ２０５及び発光素子２０３に接続されている。他方の組の増幅トランジスタ２０２の一方の主電極は、導電線１１０４に接続されている。図１２では図２（ｂ）の例をもとに説明するが、各組は、図２〜図４の他の画素の具体例の構成を有してもよい。
【００６４】
撮像表示装置１１００は、一方の光電変換素子２０１によって得られた電荷信号に応じた光を発光素子２０３で発光するとともに、他方の光電変換素子２０１によって得られた信号を水平走査回路１１０５で読み出す。制御回路１１０６は、水平走査回路１１０５に読み出された信号から画像データを生成し、保存してもよい。一方の光電変換素子２０１で可視光を検出し、他方の光電変換素子２０１で赤外光を検出してもよい。
【００６５】
図１２（ｂ）、（ｃ）は、撮像表示装置１１００の１つの画素１１０１に着目した断面図である。撮像表示装置１１００は、２枚の基板１２０１、１２０２が積層されて構成される。それぞれの基板は、表面照射型の基板であってもよいし、裏面照射型の基板であってもよい。基板１２０１は、光電変換素子を構成する不純物領域１２０５を有する。基板１２０２は、光電変換素子を構成する不純物領域１２０４と、発光素子を構成する発光層１２０３とを有する。不純物領域１２０４が図１２（ａ）の上側の光電変換素子２０１を構成し、不純物領域１２０５が図１２（ａ）の下側の光電変換素子２０１を構成してもよいし、その逆でもよい。
【００６６】
図１２（ｂ）に示す実施形態では、不純物領域１２０４、１２０５の両方が撮像表示装置１１００の上側から入射した光を光電変換し、発光層１２０３が撮像表示装置１１００の上側へ光を発光する。図１２（ｃ）に示す実施形態では、不純物領域１２０４が撮像表示装置１１００の上側から入射した光を光電変換し、不純物領域１２０５が撮像表示装置１１００の下側から入射した光を光電変換し、発光層１２０３が撮像表示装置１１００の上側へ光を発光する。
【００６７】
図１２（ｃ）の例で、不純物領域１２０４が下側の光電変換素子２０１を構成するとする。撮像表示装置１１００が眼鏡などのウェアラブルデバイスに搭載される場合に、撮像表示装置１１００の上面は、利用者の眼に対向する位置にくる。そのため、下側の光電変換素子２０１によって得られた画像データを用いて、制御回路１１０６が視線検知を行ってもよい。制御回路１１０６は、撮像表示装置９００の構成を利用して、撮像表示装置１１００の画素領域のうち利用者の視線が検知された領域を高解像度で表示し、他の領域を低解像度で表示してもよい。また、不純物領域１２０５が基板１２０１の大部分（例えば、基板の表面に対する平面視において８０％以上）に形成されていてもよい。また、発光層１２０３が基板１２０１に形成され、基板１２０２が適宜取り除かれた形態となっていてもよい。
【００６８】
上述の様々な実施形態では、光電変換素子２０１と発光素子２０３とが１対１に対応している。これに代えて、２つ以上の光電変換素子２０１と１つの発光素子２０３とが対応してもよい。具体的に、２つ以上の光電変換素子２０１で得られた電荷信号の合計に基づく強度の光が１つの発光素子２０３で発光されてもよい。さらに、１つの光電変換素子２０１と２以上の発光素子２０３とが対応してもよい。具体的に、１つの光電変換素子２０１で得られた電荷信号に基づく強度の光が２つ以上の発光素子２０３で分散して発光されてもよい。さらに、光電変換素子２０１と発光素子２０３との対応が混在してもよい。例えば、青色の光を検出する１つの光電変換素子２０１で得られた電荷信号が、青色の光を発光する２つ以上の発光素子２０３へ分散して供給されてもよい。さらに、同じ撮像表示装置において、緑色の光を検出する２つ以上の光電変換素子２０１で得られた電荷信号が、緑色の光を発光する１つの発光素子２０３へ統合して供給されてもよい。このような構成を有することによって、各色に最適な配列で受光・発光を行うことができる。
【００６９】
図１３を参照して、上述の各実施形態の撮像表示装置の適用例について説明する。撮像表示装置は、例えばスマートグラス、ＨＭＤ、スマートコンタクトのようなウェアラブルデバイスに適用できる。このような適用例に使用される撮像表示装置は、可視光を光電変換可能な光電変換素子と、可視光を発光可能な発光素子とを有する。
【００７０】
図１３（ａ）は、１つの適用例に係る眼鏡１３００（スマートグラス）を説明する。眼鏡１３００のレンズ１３０１に撮像表示装置１３０２が搭載されている。撮像表示装置１３０２は例えば上述の撮像表示装置１００であってもよい。眼鏡１３００は、制御装置１３０３をさらに備える。制御装置１３０３は、撮像表示装置１３０２に電力を供給する電源として機能するとともに、撮像表示装置１３０２の動作を制御する。レンズ１３０１には、撮像表示装置１３０２に光を集光するための光学系が形成されている。
【００７１】
図１３（ｂ）は、１つの適用例に係る眼鏡１３１０（スマートグラス）を説明する。眼鏡１３１０は、制御装置１３１２を有しており、制御装置１３１２に撮像表示装置が搭載される。この撮像表示装置は例えば上述の撮像表示装置１００であってもよい。レンズ１３１１には、制御装置１３１２内の撮像表示装置からの発光を投影するための光学系が形成されている。撮像表示装置は、この光を受けて、レンズ１３１１に画像を投影する。制御装置１３１２は、撮像表示装置に電力を供給する電源として機能するとともに、撮像表示装置の動作を制御する。
【００７２】
図１３（ｃ）は、１つの適用例に係るコンタクトレンズ１３２０（スマートコンタクトレンズ）を説明する。コンタクトレンズ１３２０に撮像表示装置１３２１が搭載されている。撮像表示装置１３２１は例えば上述の撮像表示装置１００であってもよい。コンタクトレンズ１３２０は、制御装置１３２２をさらに備える。制御装置１３２２は、撮像表示装置１３２１に電力を供給する電源として機能するとともに、撮像表示装置１３２１の動作を制御する。コンタクトレンズ１３２０には、撮像表示装置１３２１に光を集光するための光学系が形成されている。
【００７３】
撮像表示装置は、暗視装置、監視装置、双眼鏡、望遠鏡、医療用検出器等にも適用可能である。このような適用例に使用される撮像表示装置は、可視光及び可視光以外の光（紫外光、赤外光等）を光電変換可能な光電変換素子と、可視光を発光可能な発光素子とを有する。このような適用例では、人間の眼には見えにくい光が可視光として表示される。
【００７４】
撮像表示装置は、監視やセキュリティ機器にも適用可能である。このような適用例に使用される撮像表示装置は、可視光を光電変換可能な光電変換素子と、可視光以外の光（紫外光、赤外光等）を発光可能な発光素子とを有する。このような適用例では、被写体情報を非可視化することができる。
【００７５】
いずれの適用例に係るデバイスであっても、本実施形態の撮像表示装置では受光から発光までの時間が短いので、利用者は違和感を覚えることなくデバイスを使用できる。
【符号の説明】
【００７６】
１００  表示装置、１０１  画素、２０１  光電変換素子、２０２  増幅トランジスタ、２０３  発光素子
【図１】
2018060980.tif 000003
【図２】
2018060980.tif 000004
【図３】
2018060980.tif 000005
【図４】
2018060980.tif 000006
【図５】
2018060980.tif 000007
【図６】
2018060980.tif 000008
【図７】
2018060980.tif 000009
【図８】
2018060980.tif 000010
【図９】
2018060980.tif 000011
【図１０】
2018060980.tif 000012
【図１１】
2018060980.tif 000013
【図１２】
2018060980.tif 000014
【図１３】
2018060980.tif 000015